(57)【要約】【課題】  原稿に付着している粘着性異物の接着力を確実に低下させ、滞留する浮遊物を確実に除去して、異常画像の発生を防止して高品質の読取画像を形成する原稿画像読取装置、及び、その原稿画像読取装置を具備する画像形成装置を提供する。【解決手段】  原稿束の原稿を一枚毎に分離する原稿分離手段１と、上記原稿分離手段１で一枚毎に分離された原稿（Ｏ）を読み取り部２に搬送する搬送手段３と、上記搬送手段３で上記読み取り部２に搬送される原稿（Ｏ）の原稿画像を読み取る原稿画像読取手段４と、上記読み取り部２の手前側に配置されて搬送される原稿（Ｏ）を挟持して搬送する一対の回動搬送部材からなり原稿（Ｏ）に付着する粘着性異物の接着力を低下させる接着力低下手段５とからなる。【選択図】  図１
2005132615.tif 000002
【特許請求の範囲】
【請求項１】
搬送される原稿の原稿画像を読み取る原稿画像読取装置において、原稿束の原稿を一枚毎に分離する原稿分離手段と、上記原稿分離手段で一枚毎に分離された原稿を読み取り部に搬送する搬送手段と、上記搬送手段で上記読み取り部に搬送される原稿の原稿画像を読み取る原稿画像読取手段と、上記読み取り部の手前側に配置されて搬送される原稿を挟持して搬送する一対の回動搬送部材からなり原稿に付着する粘着性異物の接着力を低下させる接着力低下手段とからなることを特徴とする原稿画像読取装置。
【請求項２】
請求項１に記載の原稿画像読取装置において、読み取り部は、読み取り部上の原稿を搬送する読取部上原稿搬送手段を備えることを特徴とする原稿画像読取装置。
【請求項３】
請求項２に記載の原稿画像読取装置において、読取部上原稿搬送手段は、搬送ベルトを備えることを特徴とする原稿画像読取装置。
【請求項４】
請求項１、２又は３に記載の原稿画像読取装置において、接着力低下手段は、一対の回動搬送部材の一方が回動駆動力を有する回動駆動部材であり、他方が上記回動駆動部材側に加圧される回動加圧部材であることを特徴とする原稿画像読取装置。
【請求項５】
請求項４に記載の原稿画像読取装置において、読み取り部側の回動駆動部材、又は、回動加圧部材は、ベルト形状のベルト部材からなることを特徴とする原稿画像読取装置。
【請求項６】
請求項４に記載の原稿画像読取装置において、読み取り部側の回動駆動部材、又は、回動加圧部材は植毛した植毛部材からなることを特徴とする原稿画像読取装置。
【請求項７】
請求項４に記載の原稿画像読取装置において、読み取り部側の回動駆動部材、又は、回動加圧部材は不織布からなる不織布部材からなることを特徴とする原稿画像読取装置。
【請求項８】
請求項４、５、６又は７に記載の原稿画像読取装置において、接着力低下手段の回動駆動部材、又は、回動加圧部材は、一方向クラッチからなることを特徴とする原稿画像読取装置。
【請求項９】
請求項１、２、３、４、５、６、７又は８に記載の原稿画像読取装置において、接着力低下手段は、搬送手段で搬送される原稿が端部に接触するガイド部材からなることを特徴とする原稿画像読取装置。
【請求項１０】
電子写真方法の作像プロセスでトナー画像を形成する画像形成装置において、回動可能に保持されて形成されるトナー画像を担持する像担持体と、上記像担持体上を均一に帯電する帯電手段と、上記帯電手段で均一に帯電された上記像担持体の表面に上記請求項１乃至９の何れか一項に記載の原稿画像読取装置の読み取る原稿画像の潜像を形成する潜像形成手段と、上記潜像形成手段で形成された潜像を現像してトナー画蔵を形成する現像手段と、上記現像手段で形成されたトナー画像を被転写体上に転写する転写手段とからなることを特徴とする画像形成装置。
【発明の詳細な説明】
【技術分野】
【０００１】
本発明は、原稿画像読取装置、及び、その原稿画像読取装置を具備する画像形成装置に関し、詳しくは、搬送される原稿の原稿画像を読み取る原稿画像読取装置、及び、その原稿画像読取装置を具備する電子写真方法の作像プロセスでトナー画像を形成する複写機、ファクシミリ装置、プリンタあるいはこれ等の複合機等の画像形成装置に関する。
【背景技術】
【０００２】
従来から、原稿画像読取装置、及び、その原稿画像読取装置を具備する画像形成装置では、原稿の原稿画像を読み取る読取部を固定して、原稿を搬送しながら原稿画像の読み取りを行う、所謂、シートスルーＤＦにおいては、その読取部に異物が滞留、付着した場合や、読取部に傷がついた場合には、スジ画像の異常画像が発生していた。
そこで、画像読取装置の光路に配置するコンタクトガラスに対して、ガラスの表面に光触媒のような汚れ防止機能を発揮するコーテイング膜を施して、コンタクトガラスの表面に汚れが再現されることがないようにすることは公知である（特許文献１を参照）。
更に、弾性を持つ板状のガイド部材を、原稿読取位置のコンタクトガラス、バックアップローラの上流側の下側ガイドとの間隙に配置し、間隙を塞ぎ、弾性ガイド部材の端部を原稿の搬送方向下流側に向けて延在させて、搬入される原稿の先端が間隙に落ち込まないようにガイドすると共に、原稿先端通過後、原稿の読み取られる側の画像面にガイド部材端の接触部を摺接させることにより、表面に付着した粉塵等を掃き取るようにして、原稿の表面に付着した粉塵等がコンタクトガラスに付着して黒スジの異常画像がＣＣＤの画像信号に生ずることを防止するようにすることも公知である（特許文献２を参照）。
然し、異物滞留の場合に、滞留している異物は、原稿と接触することにより読取位置からの除去が可能であり、原稿を読取位置に強く接触させながら搬送することで、原稿による異物除去効果が上がり、異物の滞留によるスジ画像の低減が可能となる。
他方、異物付着の場合には、付着物の性質に依存するため、全ての付着物に対して原稿との接触による除去は難しく、そのために清掃を行わない限り、付着し続ける可能性も有り、読取位置に付着させないことが必要となる。
原稿を強くコンタクトガラスに接触させる程、付着量が増える傾向にあるため、付着物を付かせないためには、原稿とコンタクトガラスを接触させない構成が必要となる。
つまり、異物の滞留と付着に対する対応方法は、相反しており、双方に対して有効に対応することが出来なかったのである。
従って、従来の原稿画像読取装置、及び、その原稿画像読取装置を具備する画像形成装置においては、画像読取装置の光路に配置するコンタクトガラスの表面に光触媒のような汚れ防止機能を発揮するコーテイング膜を施してコンタクトガラスの表面の汚れを防止し、又は、原稿読取位置の手前で原稿に清掃部材を当てて原稿に付いている異物を除去するようにしても、読取部に異物が滞留、又は、付着してスジ画像の異常画像となる不具合が生じていた。
【特許文献１】特開２０００−３９６８０公報
【特許文献２】特開２００１−７９８３公報
【発明の開示】
【発明が解決しようとする課題】
【０００３】
従来の原稿画像読取装置、及び、その原稿画像読取装置を具備する画像形成装置においては、画像読取装置の光路に配置するコンタクトガラスの表面に光触媒のような汚れ防止機能を発揮するコーテイング膜を施してコンタクトガラスの表面の汚れを防止し、又は、原稿読取位置の手前で原稿に清掃部材を当てて原稿に付いている異物を除去するようにしても、読取部に異物が滞留、又は、付着してスジ画像の異常画像になると言う問題が発生していた。
そこで本発明の課題は、このような問題点を解決するものである。即ち、原稿に付着している粘着性異物の接着力を確実に低下させ、滞留する浮遊物を確実に除去して、異常画像の発生を防止して高品質の読取画像を形成する原稿画像読取装置、及び、その原稿画像読取装置を具備する画像形成装置を提供することを目的とする。
【課題を解決するための手段】
【０００４】
上記目的を達成するために、請求項１に記載の本発明は、搬送される原稿の原稿画像を読み取る原稿画像読取装置において、原稿束の原稿を一枚毎に分離する原稿分離手段と、上記原稿分離手段で一枚毎に分離された原稿を読み取り部に搬送する搬送手段と、上記搬送手段で上記読み取り部に搬送される原稿の原稿画像を読み取る原稿画像読取手段と、上記読み取り部の手前側に配置されて搬送される原稿を挟持して搬送する一対の回動搬送部材からなり原稿に付着する粘着性異物の接着力を低下させる接着力低下手段とからなる原稿画像読取装置であることを最も主要な特徴とする。
又は、請求項２に記載の本発明は、請求項１に記載の原稿画像読取装置において、読み取り部は、読み取り部上の原稿を搬送する読取部上原稿搬送手段とからなる原稿画像読取装置であることを主要な特徴とする。
又は、請求項３に記載の本発明は、請求項２に記載の原稿画像読取装置において、読取部上原稿搬送手段は、搬送ベルトとからなる原稿画像読取装置であることを主要な特徴とする。
又は、請求項４に記載の本発明は、請求項１、２又は３に記載の原稿画像読取装置において、接着力低下手段は、一対の回動搬送部材の一方が回動駆動力を有する回動駆動部材と、他方が上記回動駆動部材側に加圧される回動加圧部材とからなる原稿画像読取装置であることを主要な特徴とする。
又は、請求項５に記載の本発明は、請求項４に記載の原稿画像読取装置において、読み取り部側の回動駆動部材、又は、回動加圧部材は、ベルト形状のベルト部材からなる原稿画像読取装置であることを主要な特徴とする。
【０００５】
又は、請求項６に記載の本発明は、請求項４に記載の原稿画像読取装置において、読み取り部側の回動駆動部材、又は、回動加圧部材は植毛した植毛部材からなる原稿画像読取装置であることを主要な特徴とする。
又は、請求項７に記載の本発明は、請求項４に記載の原稿画像読取装置において、読み取り部側の回動駆動部材、又は、回動加圧部材は不織布からなる不織布部材からなる原稿画像読取装置であることを主要な特徴とする。
又は、請求項８に記載の本発明は、請求項４、５、６又は７に記載の原稿画像読取装置において、接着力低下手段の回動駆動部材、又は、回動加圧部材は、一方向クラッチからなる原稿画像読取装置であることを主要な特徴とする。
又は、請求項９に記載の本発明は、請求項１、２、３、４、５、６、７又は８に記載の原稿画像読取装置において、接着力低下手段は、搬送手段で搬送される原稿が端部に接触するガイド部材からなる原稿画像読取装置であることを主要な特徴とする。
又は、請求項１０に記載の本発明は、電子写真方法の作像プロセスでトナー画像を形成する画像形成装置において、回動可能に保持されて形成されるトナー画像を担持する像担持体と、上記像担持体上を均一に帯電する帯電手段と、上記帯電手段で均一に帯電された上記像担持体の表面に上記請求項１乃至９の何れか一項に記載の原稿画像読取装置の読み取る原稿画像の潜像を形成する潜像形成手段と、上記潜像形成手段で形成された潜像を現像してトナー画蔵を形成する現像手段と、上記現像手段で形成されたトナー画像を被転写体上に転写する転写手段とからなる画像形成装置であることを最も主要な特徴とする。
【発明の効果】
【０００６】
本発明は、以下に説明するように構成されているので、請求項１の発明によれば、原稿に付着している粘着性異物の接着力を低下させて異常画像の発生を防止して高品質の読取画像を形成する原稿画像読取装置を提供することが出来るようになった。
請求項２の発明によれば、原稿に付着している粘着性異物の接着力を低下させ、滞留する浮遊物を除去して、異常画像の発生を防止して高品質の読取画像を形成する原稿画像読取装置を提供することが出来るようになった。
請求項３の発明によれば、原稿に付着している粘着性異物の接着力を低下させ、滞留する浮遊物を確実に除去して、異常画像の発生を防止して高品質の読取画像を形成する原稿画像読取装置を提供することが出来るようになった。
請求項４の発明によれば、一対の回動搬送部材の一方が回動駆動力を有する回動駆動部材と他方が回動駆動部材側に加圧される回動加圧部材によって、原稿に付着している粘着性異物の接着力を低下させて異常画像の発生を防止して高品質の読取画像を形成する原稿画像読取装置を提供することが出来るようになった。
請求項５の発明によれば、一対の回動搬送部材の一方が回動駆動力を有する回動駆動部材、又は、他方が回動駆動部材側に加圧される回動加圧部材をベルト部材にすることによって、原稿に付着している粘着性異物の接着力を確実に低下させて異常画像の発生を防止して高品質の読取画像を形成する原稿画像読取装置を提供することが出来るようになった。
請求項６の発明によれば、一対の回動搬送部材の一方が回動駆動力を有する回動駆動部材、又は、他方が回動駆動部材側に加圧される回動加圧部材を植毛部材にすることによって、原稿に付着している粘着性異物の接着力を確実に低下させて異常画像の発生を防止して高品質の読取画像を形成する原稿画像読取装置を提供することが出来るようになった。
【０００７】
請求項７の発明によれば、一対の回動搬送部材の一方が回動駆動力を有する回動駆動部材、又は、他方が回動駆動部材側に加圧される回動加圧部材を不織布部材にすることによって、原稿に付着している粘着性異物の接着力を確実に低下させて異常画像の発生を防止して高品質の読取画像を形成する原稿画像読取装置を提供することが出来るようになった。
請求項８の発明によれば、一対の回動搬送部材の一方が回動駆動力を有する回動駆動部材、又は、他方が回動駆動部材側に加圧される回動加圧部材を一方向クラッチからなるようにして原稿の搬送時の負荷の増加を抑えることによっても、原稿に付着している粘着性異物の接着力を低下させて異常画像の発生を防止して高品質の読取画像を形成する原稿画像読取装置を提供することが出来るようになった。
請求項９の発明によれば、原稿に付着している粘着性異物の接着力を、更に、低下させて異常画像の発生を防止して高品質の読取画像を形成する原稿画像読取装置を提供することが出来るようになった。
請求項１０の発明によれば、原稿に付着している粘着性異物の接着力を確実に低下させ、滞留する浮遊物を確実に除去して、異常画像の発生を防止して高品質の読取画像を形成すると共に、高品質のトナー画像を形成する原稿画像読取装置を具備する画像形成装置を提供することが出来るようになった。
【発明を実施するための最良の形態】
【０００８】
次に、本発明の実施の形態は、図面を参照して詳細に説明する。
図１と図２において、搬送される原稿の原稿画像を読み取る原稿画像読取装置０は、原稿束の原稿（Ｏ）を一枚毎に分離する原稿分離手段１と、上記原稿分離手段１で一枚毎に分離された原稿（Ｏ）を読み取り部２に搬送する搬送手段３と、上記搬送手段３で上記読み取り部２のコンタクトガラスに搬送される原稿（Ｏ）の原稿画像を読み取る原稿画像読取手段４のＣＣＤと、上記読み取り部２のコンタクトガラスの手前側に配置されて搬送される原稿（Ｏ）を挟持して搬送する一対の回動駆動力を有する回動駆動部材５ａと上記回動駆動部材５ａ側に加圧される回動加圧部材５ｂからなり原稿（Ｏ）に付着する粘着性異物の接着力を低下させる接着力低下手段５とからなり、原稿（Ｏ）に付着している粘着性異物の接着力を確実に低下させて異常画像の発生を防止して高品質の読取画像を形成する。
上記接着力低下手段５の上記回動駆動部材５ａ、又は、上記回動加圧部材５ｂは、一方向クラッチ５ｆを設けてあるから、原稿（Ｏ）の搬送時の負荷の増加を抑えることが可能となり、搬送上の問題も低減されて異常画像の発生を防止して高品質の読取画像を形成する。
上記原稿画像読取装置０は、被読み取り原稿（Ｏ）を、固定した上記読み取り部２のコンタクトガラス上に搬送して、所定の速度で搬送しながら原稿画像の読み取りを行う装置に用いられる、被読み取り原稿処理装置、所謂、ＡＤＦに関するものである。
【０００９】
上記原稿画像読取装置０は、被読み取り面が両面の原稿（Ｏ）の束をセットする原稿セット部１ａ、セットされた両面の原稿（Ｏ）の束から一枚毎に原稿（Ｏ）を分離して給送する分離給送部１ｂ、給送された原稿（Ｏ）の表面を一次突き当て整合する働きと、整合後の原稿（Ｏ）を引き出し搬送する働きのレジスト部３ａ、搬送される原稿（Ｏ）をターンさせて、原稿（０）の原稿画像面の読みとり側を下方に向けて搬送するターン部３ｂ、原稿（Ｏ）の原稿画像を、上記読み取り部２のコンタクトガラスの下方より読み取りを行わせる読み取り搬送部２ｂ、読み取り後の原稿（０）の表裏を反転するための反転スイッチバック部６、上記反転スイッチバック部６にて反転スイッチバックした原稿（０）を、再び、上記レジスト部３ａに戻すための中間搬送部７、再び、上記ターン部３ｂから上記読み取り搬送部２ｂにより原稿（Ｏ）の裏面を読み取り後に、一時、原稿（Ｏ）を待機させる待機スイッチバック部８、上記待機スイッチバック部８より原稿（Ｏ）を反転して装置外に排出する反転排紙部９、読み取り完了後の原稿（Ｏ）を積載保持する排紙部１０、これら搬送動作の駆動を行う図２に図示する駆動部１１のピックアップモータ１１ａ、給紙モータ１１ｂ、読取りモータ１１ｃ、排紙モータ１１ｄ、底板上昇モータ１１ｅ、更に、一連の動作を制御するコントローラ１２等とから構成されている。
読み取りを行う原稿（Ｏ）の束をセットするのは、可動原稿テーブル１ａ１を含む原稿テーブル１ａ２上で、原稿（Ｏ）の原稿画像面を上向きの状態でセットする。
更に、原稿（Ｏ）の束の巾方向を図示しないサイドガイドによって搬送方向と直交する方向の位置決めを行う。
原稿（Ｏ）のセットは、セットフィラー１ａ３、原稿セットセンサ１ａ４により検知され、図２に図示するように、Ｉ／Ｆ１３により本体制御部１４に送信されるようになっている。
更に、上記原稿テーブル１ａ２面に設けられた原稿長さ検知センサ１ａ５、又は、原稿長さ検知センサ１ａ６は、反射型センサ、又は、原稿（Ｏ）１枚にても検知可能なアクチェーター・タイプのセンサにより、少なくとも同一の原稿サイズの縦か横かを判断可能なセンサが配置されて、原稿（Ｏ）の搬送方向長さの概略が判定される。
上記可動原稿テーブル１ａ１は、図２に図示する底板上昇モータ１１ｅにより図示の矢印（Ａ）方向に上下動可能な構成になっていて、原稿（Ｏ）がセットされた事を上記セットフィラー１ａ３、及び、上記原稿セットセンサ１ａ４により検知すると、上記底板上昇モータ１１ｅを正転させて原稿（Ｏ）の束の最上面がピックアップローラ１ｂ１と接触するように上記可動原稿テーブル１ａ１を上昇させるようになっている。
上記ピックアップローラ１ｂ１は、図２に図示する上記ピックアップモータ１１ａによりカム機構で、図示の矢印（Ｂ）方向に動作すると共に、上記可動原稿テーブル１ａ１が上昇し、上記可動原稿テーブル１ａ１上の原稿（Ｏ）上面により押されて上方向に上がり、テーブル上昇検知センサ１ａ７により上限を検知可能となっている。
【００１０】
図２に図示する本体操作部１５よりプリントキーが押下され、図２に図示する上記本体制御部１４から上記Ｉ／Ｆ１３を介して上記コントロ−ラ１２に原稿給紙信号が送信されると、上記ピックアップローラ１ｂ１は、図２に図示する上記給紙モータ１１ｂの正転によりコロが回転駆動し、上記原稿テーブル１ａ２上の数枚、理想的には１枚の原稿（Ｏ）をピックアップする。
回転方向は、最上位の原稿（Ｏ）を給紙口に搬送する方向である。
給紙ベルト１ｂ２は、図２に図示する上記給紙モータ１１ｂの正転により給紙方向に駆動され、リバースローラ１ｂ３は、図２に図示する上記給紙モータ１１ｂの正転により給紙方向と逆方向に回転駆動され、最上位の原稿（Ｏ）とその下の原稿（Ｏ）を分離して、最上位の原稿（Ｏ）のみを給紙できる構成となっている。
更に、詳しく説明すると、上記リバースローラ１ｂ３は、上記給紙ベルト１ｂ２と所定圧で接し、上記給紙ベルト１ｂ２と直接に接している時、又は、１枚の原稿（Ｏ）を介して接している状態では上記給紙ベルト１ｂ２の回転につられて反時計方向につれ回りし、万が一、２枚以上の原稿（Ｏ）が上記給紙ベルト１ｂ２と上記リバースローラ１ｂ３の間に侵入した時には、連れ回り力がトルクリミッターのトルクよりも低くなるように設定されており、上記リバースローラ１ｂ３は本来の駆動方向である時計方向に回転し、余分な原稿（Ｏ）を押し戻す働きをして重送が防止されるようになっている。
【００１１】
上記給紙ベルト１ｂ２と上記リバースローラ１ｂ３との作用により１枚に分離された原稿（Ｏ）は、上記給紙ベルト１ｂ２とによって、更に、送られ、突き当てセンサ１ｂ４によって先端が検知され、更に、進んで停止しているプルアウトローラ３ａ１に突き当たる。
その後、上記突き当てセンサ１ｂ４の検知から、所定量の定められた距離送られ、結果的には、上記プルアウトローラ３ａ１に所定量の撓みを持って押し当てられた状態で、図２に図示する上記給紙モータ１１ｂを停止させることにより、上記給紙ベルト１ｂ２の駆動が停止する。
この時、図２に図示する上記ピックアップモータ１１ａを回転させることで、上記ピックアップローラ１ｂ１を原稿（Ｏ）の上面から退避させ、原稿（Ｏ）を上記給紙ベルト１ｂ２の搬送力のみで送ることにより、原稿（Ｏ）の先端は、上記プルアウトローラ３ａ１の上下ローラ対のニップに進入し、先端の整合のスキュー補正が行われる。
上記プルアウトローラ３ａ１は、上記スキュー補正機能を有すると共に、分離後にスキュー補正された原稿（Ｏ）を中間ローラ３ｂ１まで搬送するためのローラで、図２に図示する上記給紙モータ１１ｂの逆転により駆動される。
又、この時の、図２に図示する上記給紙モータ１１ｂの逆転時、上記プルアウトローラ３ａ１と上記中間ローラ３ｂ１は駆動されるが、上記ピックアップローラ１ｂ１と上記給紙ベルト１ｂ２は駆動されていない。
原稿幅センサ３ａ２は、奥行き方向に複数個並べられ、上記プルアウトローラ３ａ１により搬送された原稿（Ｏ）の搬送方向に直交する幅方向のサイズを検知するようになっている。
又、原稿（Ｏ）の搬送方向の長さは、原稿（Ｏ）の先端と後端を上記突き当てセンサ１ｂ４で読み取ることにより、モータパルスから原稿（Ｏ）の長さを検知する。
上記プルアウトローラ３ａ１、及び、上記中間ローラ３ｂ１の駆動により、上記レジスト部３ａら上記ターン部３ｂに原稿（Ｏ）が搬送される際には、上記レジスト部３ａでの搬送速度を上記読み取り搬送部２ｂでの搬送速度よりも高速に設定して、原稿（Ｏ）を上記読み取り部２へ送り込む処理時間の短縮が図られるようになっている。
【００１２】
原稿（Ｏ）の先端が読取り入口センサ３ｂ２により検出されると、読取り入口ローラ３ｂ３の上下のローラ対のニップに原稿（Ｏ）の先端が進入前に、原稿（Ｏ）の搬送速度を読取り搬送速度と同速にする為に、減速を開始すると同時に、図２に図示する上記読取りモータ１１ｃを正転駆動して上記読取り入口ローラ３ｂ３、上記接着力低下手段５の上記回動駆動部材５ａの駆動ローラ、搬送ベルト駆動ローラ２ａ２、読取り出口ローラ２ｂ１を回動駆動する。
原稿（Ｏ）の先端をレジストセンサ３ｂ４にて検知すると、所定の搬送距離をかけて減速し、上記読み取り部２のコンタクトガラスの手前で一時停止すると共に、図２に図示する上記本体制御部１４に上記Ｉ／Ｆ１３を介してレジスト停止信号を送信する。
続いて、図２に図示する上記本体制御部１４より読取り開始信号を受信すると、レジスト停止していた原稿（Ｏ）は、上記読み取り部２に原稿（Ｏ）の先端が到達するまでに所定の搬送速度に立ち上がるように増速されて搬送される。
原稿（Ｏ）には、紙粉やトナーかす等の浮遊物が付着している場合や、搬送中に発生して付着する場合がある。
特に、原稿（Ｏ）が、ガイド部材等のエッヂと接触する場合での発生が多く、上記接着力低下手段５のガイド部材５ｇの端部では発生量が多くなり、粘着性異物の接着力が、更に、低下する。
【００１３】
上記ガイド部材５ｇの端部等で発生した紙粉等の浮遊物は、下流側である上記接着力低下手段５の上記回動駆動部材５ａの駆動ローラ側に加圧される上記回動加圧部材５ｂであるベルト形状のベルト部材５ｃ上に移動する。
そこで、上記回動加圧部材５ｂであるベルト形状の上記ベルト部材５ｃの材質は、植毛部材５ｄ、又は、不織布部材５ｅ等であるため、更に、下流側の上記読み取り部２のコンタクトガラスまで移動せずに、上記回動加圧部材５ｂであるベルト形状の上記ベルト部材５ｃの上記植毛部材５ｄ、又は、上記不織布部材５ｅ上に保持される。
又、上記回動加圧部材５ｂであるベルト形状の上記ベルト部材５ｃの上記植毛部材５ｄ、又は、上記不織布部材５ｅは、原稿（Ｏ）の原稿画像の読み取り面と接触するために、原稿（Ｏ）上のトナーかす等の浮遊物も上記回動加圧部材５ｂであるベルト形状の上記ベルト部材５ｃの上記植毛部材５ｄ、又は、上記不織布部材５ｅに付着し保持される。
この時に、粘着性の異物が付着した原稿（Ｏ）が通紙された場合、上記回動加圧部材５ｂであるベルト形状の上記ベルト部材５ｃの上記植毛部材５ｄ、又は、上記不織布部材５ｅに付着していた浮遊物は、原稿（Ｏ）に付着している粘着性異物と接触して粘着性異物表面に付着するため、粘着性異物表面の接着力が低下し、その状態で上記読み取り部２のコンタクトガラスへ搬送される。
粘着性異物の表面での接着力は低下しているため、原稿（Ｏ）が、上記読み取り部２のコンタクトガラスと接触した場合においても、付着しにくい状態となっている。
又、上記読み取り部２のコンタクトガラス上の原稿（Ｏ）は、読取部上原稿搬送手段２ａの搬送ベルト２ａ１で、上記読み取り部２のコンタクトガラスと接触する構成となっている。
従って、上記読み取り部２のコンタクトガラス上の滞留する浮遊物の除去がより確実に行われて、異常画像の発生を防止して高品質の読取画像を形成する上記原稿画像読取装置０を提供することが出来るようになった。
【００１４】
図２に図示する上記読取りモータ１１ｃのパルスカウントにより検出された原稿（Ｏ）の先端が、上記読み取り部２のコンタクトガラスに到達するタイミングで、図２に図示する上記本体制御部１４に対して第１面の副走査方向有効画像領域を示すゲート信号が第１読取り部を原稿後端が抜けるまで送信される。
片面原稿読取りの場合には、上記読み取り搬送部２ｂを通過した原稿（Ｏ）は、上記反転排紙部９を経て上記排紙部１０へ搬送される。
この際、排紙センサ１０ａにより原稿（Ｏ）の先端を検知すると、図２に図示する上記排紙モータ１１ｄを正転駆動して、排紙ローラ１０ｂを反時計方向に回転させる。
又、上記排紙センサ１０ａによる原稿（Ｏ）の先端検知からの図２に図示する上記排紙モータ１１ｄのパルスカウントにより、原稿（Ｏ）の後端が上記排紙ローラ１０ｂの上下のローラ対のニップから抜ける直前に、図２に図示する上記排紙モータ１１ｄの回動駆動速度を減速させて、排紙トレイ１０ｃ上に排出される原稿（Ｏ）が飛び出さない様に制御される。
【００１５】
両面原稿読取りの場合には、上記排紙センサ１０ａにて原稿（Ｏ）の先端を検知してから、図２に図示する上記読取りモータ１１ｃのパルスカウントにより切り替え爪９ａを図示しないソレノイドにより図示の矢印（Ｃ）方向に下降させ、上記排紙ローラ１０ｂから排出された原稿（Ｏ）を掬え上げ反転ローラ９ｂを図示しない掬え上げ反転モータによって反時計回りに回転させる。
原稿（Ｏ）の後端が上記排紙センサ１０ａを抜けてから所定のパルスカウントにより上記排紙ローラ１０ｂを抜けるタイミングで、上記切り替え爪９ａを図示の矢印（Ｃ）の逆方向に上昇し、上記掬え上げ反転ローラ９ｂを時計回りに回転させ、上記中間搬送部７に搬送する。
上記中間搬送部７の中間搬送ローラ７ａは、図２に図示する上記給紙モータ１１ｂの逆転にて時計回りに駆動する。
原稿（Ｏ）の先端が、上記プルアウトローラ３ａ１に達しても突き当て補正は行わず、上記プルアウトローラ３ａ１、上記中間ローラ７ａの駆動にて上記読取入口ローラ３ｂ３まで搬送を行う。
この際に、処理時間の短縮のため、表面と同様に搬送速度を上記読み取り搬送部２ｂでの搬送速度よりも高速に設定して送り込んでいる。
裏面の場合、原稿（Ｏ）の先端の整合のスキュー補正は、上記読取り入口ローラ３ｂ３のニップにて行うため、原稿（Ｏ）の先端が上記読取り入口センサ３ｂ２により検出されると、原稿（Ｏ）の搬送速度を落とし、原稿（Ｏ）の先端がニップに到達後、所定のパルスカウント数だけ搬送し、原稿（Ｏ）の先端の整合のスキュー補正を行う。
【００１６】
原稿（Ｏ）の先端の整合のスキュー補正を行った後、図２に図示する上記読取りモータ１１ｃを正転駆動して上記読取り入口ローラ３ｂ３、上記接着力低下手段５の上記回動駆動部材５ａの駆動ローラ、上記搬送ベルト駆動ローラ２ａ２、上記読取り出口ローラ２ｂ１を回動駆動する。
原稿（Ｏ）の先端を上記レジストセンサ３ｂ４にて検知すると、所定の搬送距離をかけて減速し、上記読み取り部２のコンタクトガラスの手前で一時停止すると共に、図２に図示する上記本体制御部１４に上記Ｉ／Ｆ１３を介してレジスト停止信号を送信する。
続いて、図２に図示する上記本体制御部１４より読取り開始信号を受信すると、レジスト停止していた原稿（Ｏ）は、上記読み取り部２のコンタクトガラスに原稿（Ｏ）の先端が到達するまでに所定の搬送速度に立ち上がるように増速されて搬送されるようになっている。
図２に図示する上記読取りモータ１１ｃのパルスカウントにより検出された原稿（Ｏ）の先端が上記読み取り部２のコンタクトガラスに到達するタイミングで、図２に図示する上記本体制御部１４に対して第１面の副走査方向有効画像領域を示すゲート信号が第１読取り部を原稿（Ｏ）の後端が抜けるまで送信される。
両面原稿読取りの場合には、原稿（Ｏ）の先端が上記レジストセンサ３ｂ４を通過して所定のパルスカウント経過後に、下反転切り替え爪９ｃを図示の矢印（Ｄ）方向に切り換え、下反転切り替え爪９ｄを図示の矢印（Ｅ）方向に切り換えて、図示しない下反転ローラを下反転モータにより反時計回りに回転し、上記読み取り搬送部２ｂを通過した原稿（Ｏ）を上記待機スイッチバック部８へ搬送開始する。
この原稿（Ｏ）の後端を上記排紙センサ１０ａが検知してから所定のパルスカウント経過後に、上記下反転切り替え爪９ｃを図示しないソレノイドにより図示の矢印（Ｄ）の逆方向に切り換え、上記下反転切り替え爪９ｄを図示しないソレノイドにより図示の矢印（Ｅ）の逆方向に切り換えて、次の原稿（Ｏ）の表面読取の原稿（Ｏ）を上記反転排紙部９に搬送する。
【００１７】
上記排紙センサ１０ａにて次の原稿（Ｏ）の先端を検知してから、図２に図示する上記読取りモータ１１ｃのパルスカウントにより上記切り替え爪９ａを図示しないソレノイドにより図示の矢印（Ｃ）方向に下降させ、上記排紙ローラ１０ｂから排出された原稿（Ｏ）を上記掬え上げ反転ローラ９ｂを図示しない掬え上げ反転モータによって反時計回りに回転させ上記反転スイッチバック部６に搬送する。
この際、表面画像を読取り終えた次の原稿（Ｏ）の後端が上記排紙センサ１０ａを抜けてから所定のパルスカウント経過後、上記排紙ローラ１０ｂを抜けるタイミングで、上記切り替え爪９ａを図示の矢印（Ｃ）の逆方向に上昇させるが、同じタイミングで下反転ローラ９ｅを時計回りに回動駆動して、上記排紙部１０への排出を行うようになっている。
従って、原稿（Ｏ）に付着している粘着性異物の接着力を確実に低下させ、滞留する浮遊物を確実に除去して、異常画像の発生を防止して高品質の読取画像を形成する上記原稿画像読取装置０を提供することが出来るようになった。
【００１８】
図３において、電子写真方法の作像プロセスでトナー画像を形成する画像形成装置５０は、回動可能に保持されて形成されるトナー画像を担持する像担持体５１のドラム形状の感光体ドラムと、感光体ドラム５１上を均一に帯電する帯電手段５２と、上記帯電手段５２で均一に帯電された感光体ドラム５１の表面５１ａに上記請求項１乃至９の何れか一項に記載の上記原稿画像読取装置０の読み取る原稿画像の潜像を形成する潜像形成手段５３と、上記潜像形成手段５３で形成された潜像を現像してトナー画蔵を形成する現像手段５４と、上記現像手段５４で形成されたトナー画像を被転写体（Ｐ）の転写用紙上に転写する転写手段５５とからなり、原稿（Ｏ）に付着している粘着性異物の接着力を低下させ、滞留する浮遊物を除去して、異常画像の発生を防止して高品質の読取画像を形成すると共に、高品質のトナー画像を形成する。
上記画像形成装置５０の電子写真方法でトナー画像を形成する複写機は、上部には、搬送される原稿（Ｏ）の原稿画像を読み取る上記原稿画像読取装置０が配置されている。
他方、下部には、画像形成手段６０を載置して上記被転写体（Ｐ）の転写用紙を供給する給紙装置６１が配置されている。
【００１９】
上記原稿画像読取装置０で読み取る原稿（０）の原稿画像の画像データでトナー画像を形成する電子写真方法による、上記潜像形成手段５３のレーザーダイオードを発光させることにより、上記帯電手段５２で均一に帯電された感光体ドラム５１の上記表面１１ａに潜像を形成する。
上記潜像形成手段５３のレーザーダイオードを発光させて形成した静電潜像を上記現像手段５４で顕像化してトナー画像を形成する。
上記現像手段５４で顕像化したトナー画像は、上記転写手段５５で、上記給紙装置６０から搬送されて来る被転写体（Ｐ）の転写用紙に転写される。
上記転写手段５５で被転写体（Ｐ）の転写用紙に転写されたトナー画像は、定着手段５６にて加熱と加圧後に、被転写体（Ｐ）の転写用紙は排紙ローラ５７によって排紙トレイ５８に排紙されて収納される。
他方、感光体ドラム５１の上記表面５１ａは、被転写体（Ｐ）の転写用紙にトナー画像を転写した後に、感光体ドラム５１の上記表面５１ａに付着した残留トナーを、クリーニング手段５９によって掻き落とされてクリーニングされて、次工程の画像形成に備えるようになっている。
従って、原稿（Ｏ）に付着している粘着性異物の接着力を確実に低下させ、滞留する浮遊物を確実に除去して、異常画像の発生を防止して高品質の読取画像を形成すると共に、高品質のトナー画像を形成する上記原稿画像読取装置０を具備する上記画像形成装置５０を提供することが出来るようになった。
【図面の簡単な説明】
【００２０】
【図１】本発明の実施の形態例を示す原稿画像読取装置を説明する説明図である。
【図２】本発明の実施の形態例を示す原稿画像読取装置の主要部を説明するブロック図である。
【図３】本発明の実施の形態例を示す原稿画像読取装置を具備する画像形成装置を説明する説明図である。
【符号の説明】
【００２１】
０  原稿画像読取装置
１  原稿分離手段、
１ａ  原稿セット部、
１ａ１  可動原稿テーブル、
１ａ２  原稿テーブル、
１ａ３  セットフィラー、
１ａ４  原稿セットセンサ、
１ａ５  原稿長さ検知センサ、
１ａ６  原稿長さ検知センサ、
１ａ７  テーブル上昇検知センサ、
１ｂ  分離給送部、
１ｂ１  ピックアップローラ、
１ｂ２  給紙ベルト、
１ｂ３  リバースローラ、
１ｂ４  突き当てセンサ          
２  読み取り部、
２ａ  読取部上原稿搬送手段、
２ａ１  搬送ベルト、
２ａ２  搬送ベルト駆動ローラ、
２ｂ  読み取り搬送部、
２ｂ１  読み取り出口ローラ
３  搬送手段、
３ａ  レジスト部、
３ａ１  プルアウトローラ、
３ａ２  原稿幅センサ、
３ｂ  ターン部、
３ｂ１  中間ローラ、
３ｂ２  読取り入口センサ、
３ｂ３  読取り入口ローラ、
３ｂ４  レジストセンサ、
４  原稿画像読取手段
５  接着力低下手段、
５ａ  回動駆動部材、
５ｂ  回動加圧部材、
５ｃ  ベルト部材、
５ｄ  植毛部材、
５ｅ  不織布部材、
５ｆ  一方向クラッチ、
５ｇ  ガイド部材
６  反転スイッチバック部
７  中間搬送部、
７ａ  中間搬送ローラ
８  待機スイッチバック部
９  反転排紙部、
９ａ  切り替え爪、
９ｂ  掬え上げ反転ローラ、
９ｃ  下反転切り替え爪、
９ｄ  下反転切り替え爪、
９ｅ  下反転ローラ
１０  排紙部、
１０ａ  排紙センサ、
１０ｂ  排紙ローラ、
１０ｃ  排紙トレイ
１１  駆動部、
１１ａ  ピックアップモータ、
１１ｂ  給紙モータ、
１１ｃ  読取りモータ、
１１ｄ  排紙モータ、
１１ｅ  底板上昇モータ
１２  コントローラ
１３  Ｉ／Ｆ
１４  本体制御部
１５  本体操作部
５０  画像形成装置
５１  像担持体、
５１ａ  表面
５２  帯電手段
５３  潜像形成手段
５４  現像手段
５５  転写手段
５６  定着手段
５７  排紙ローラ
５８  排紙トレイ
５９  クリーニング手段
６０  画像形成部
６１  給紙装置
【図１】
2005132615.tif 000003
【図２】
2005132615.tif 000004
【図３】
2005132615.tif 000005